(57)【要約】【課題】軽量化、及び量産化を可能とする練歯磨供給装置を提供する。【解決手段】練歯磨供給装置１ａは、プラスチック製の装置筐体２内に、練歯磨入りチューブＸを挟持する一対の絞りローラー３０，３０と、該絞りローラー３０と連繋したボールチェーン２８を有する巻き掛け伝動装置２５と、ボールチェーン２８を回動させる駆動モーター５０と、開閉蓋６４が配設された操作部６０とが内蔵されている。そして、歯ブラシＹで操作部６０を押し込むと、歯磨出口Ｘ１が開放し、かつ、一対の絞りローラー３０、３０が下降し、当該歯ブラシＹ上に練歯磨が絞り出される。【選択図】図４
0003139115.tif 000002
【実用新案登録請求の範囲】
【請求項１】
歯ブラシ挿入開口を有する装置筐体と、  
該装置筐体内で練歯磨入りチューブを倒立姿勢で保持するチューブ保持手段と、
該練歯磨入りチューブを挟持する一対の絞り部材と、
該一対の絞り部材を昇降させる絞り部材昇降手段と、
倒立姿勢の前記練歯磨入りチューブの歯磨出口を遮蔽する遮蔽位置と、該歯磨出口を開放する開放位置とに位置変換する開閉蓋と、
該開閉蓋と連繋し、前記開閉蓋を開放位置とする作動位置と、該開閉蓋を遮蔽位置とする通常位置とに位置変換する操作部とを備えると共に、該操作部の作動位置は、前記練歯磨入りチューブの歯磨出口の直下に設定され、歯ブラシ挿入開口から挿入された歯ブラシの先端が前記操作部に押し当てられながら当該操作部が通常位置から作動位置に位置変換すると、前記開閉蓋が開放位置に移動し、かつ、前記絞り部材昇降手段が一対の絞り部材を所定量だけ下降させ、該一対の絞り部材の下降により前記練歯磨入りチューブの歯磨出口から練歯磨が当該作動位置にある歯ブラシ上に絞り出されるものであることを特徴とする練歯磨供給装置。
【請求項２】
前記一対の絞り部材は、一対の絞りローラーであることを特徴とする請求項１記載の練歯磨供給装置。
【請求項３】
前記絞り部材昇降手段は、
上下に配された原動車と従動車とに伝達部材が巻き掛けられてなる巻き掛け伝動装置と、
前記装置筐体に固設され、前記原動車に連結された回転軸を具備する駆動モーターと、
オン状態となると前記駆動モーターを駆動開始する駆動スイッチとからなり、前記伝達部材は、一対の絞り部材が連結されており、
操作部が通常位置から作動位置となると、前記駆動スイッチがオン状態となって前記駆動モーターが駆動開始し、前記原動車に連動する前記伝達部材に連結された前記一対の絞り部材が下降することを特徴とする請求項１又は請求項２記載の練歯磨供給装置。
【請求項４】
前記絞り部材昇降手段は、
上下に配された原動車と従動車とに伝達部材が巻き掛けられてなる巻き掛け伝動装置と、
前記操作部と前記原動車又は従動車とに各々連繋された歯車とからなり、前記伝達部材は、前記一対の絞り部材が連結されており、
操作部が通常位置から作動位置となると、前記歯車が回転し、かつ該歯車と連動する前記伝達部材に連結された前記一対の絞り部材が下降することを特徴とする請求項１又は請求項２記載の練歯磨供給装置。
【請求項５】
前記伝達部材は、ボールチェーンである請求項３又は請求項４記載の練歯磨供給装置。
【請求項６】
前記チューブ保持手段は、練歯磨入りチューブの歯磨出口の外周面に配設されたキャップ取付用係合突起と係合する係合部を備えていることを特徴とする請求項１乃至請求項５のいずれか記載の練歯磨供給装置。
【考案の詳細な説明】
【技術分野】
【０００１】
本考案は、練歯磨を歯ブラシに供給する練歯磨供給装置に関するものである。
【背景技術】
【０００２】
練歯磨を歯ブラシに供給する練歯磨供給装置はいくつか提案されている（例えば、特許文献１参照）。  
【０００３】
【特許文献１】登録実用新案第３００２１５６号公報
【考案の開示】
【考案が解決しようとする課題】
【０００４】
しかしながら、何れの構成も大型で重く、市販化、さらには量産化に不向きであった。
【０００５】
そこで本考案は、簡易な構成で量産化に適した練歯磨供給装置を提供することを目的とする。
【課題を解決するための手段】
【０００６】
本考案は、歯ブラシ挿入開口を有する装置筐体と、該装置筐体内で練歯磨入りチューブを倒立姿勢で保持するチューブ保持手段と、該練歯磨入りチューブを挟持する一対の絞り部材と、該一対の絞り部材を昇降させる絞り部材昇降手段と、倒立姿勢の前記練歯磨入りチューブの歯磨出口を遮蔽する遮蔽位置と、該歯磨出口を開放する開放位置とに位置変換する開閉蓋と、該開閉蓋と連繋し、前記開閉蓋を開放位置とする作動位置と、該開閉蓋を遮蔽位置とする通常位置とに位置変換する操作部とを備えると共に、該操作部の作動位置は、前記練歯磨入りチューブの歯磨出口の直下に設定され、歯ブラシ挿入開口から挿入された歯ブラシの先端が前記操作部に押し当てられながら当該操作部が通常位置から作動位置に位置変換すると、前記開閉蓋が開放位置に移動し、かつ、前記絞り部材昇降手段が一対の絞り部材を所定量だけ下降させ、該一対の絞り部材の下降により前記練歯磨入りチューブの歯磨出口から練歯磨が当該作動位置にある歯ブラシ上に絞り出されるものであることを特徴とする練歯磨供給装置である。
【０００７】
ここで、前記一対の絞り部材は、一対の絞りローラーが特に望ましい。
【０００８】
また、前記絞り部材昇降手段は、上下に配された原動車と従動車とに伝達部材が巻き掛けられてなる巻き掛け伝動装置と、前記装置筐体に固設され、前記原動車に連結された回転軸を具備する駆動モーターと、オン状態となると前記駆動モーターを駆動開始する駆動スイッチとからなり、前記伝達部材は、一対の絞り部材が連結されており、操作部が通常位置から作動位置となると、前記駆動スイッチがオン状態となって前記駆動モーターが駆動開始し、前記原動車に連動する前記伝達部材に連結された前記一対の絞り部材が下降する構成が提案される。
【０００９】
また、前記絞り部材昇降手段は、上下に配された原動車と従動車とに伝達部材が巻き掛けられてなる巻き掛け伝動装置と、前記操作部と前記原動車又は従動車とに各々連繋された歯車とからなり、前記伝達部材は、前記一対の絞り部材が連結されており、操作部が通常位置から作動位置となると、前記歯車が回転し、かつ該歯車と連動する前記伝達部材に連結された前記一対の絞り部材が下降する構成としてもよい。
【００１０】
ここで、前記伝達部材は、ボールチェーンが望ましい。かかる構成とすることにより、絞り部材を下降させる際に、チューブ内に練歯磨が十分に残留しているときは原動車と従動車と確実に係合して該絞り部材を円滑に下降させることができるとともに、絞り部材が最下端まで到達してチューブを使い切ったときは原動車等との間で空転を生じさせて巻き掛け伝動装置に過剰な負荷がかかることを防止し得る。ただし、かかる構成は、本発明の内容につきその他の伝達部材を積極的に排除する趣旨で採用されるものではない。
【００１１】
さらに、前記チューブ保持手段は、練歯磨入りチューブの歯磨出口の外周面に配設されたキャップ取付用係合突起と係合する係合部を備えている構成が望ましい。かかる構成とすることにより、倒立姿勢で保持される練歯磨入りチューブが確実に固定されて、容易に離脱してしまうことがない。
【考案の効果】
【００１２】
本考案に係る練歯磨供給装置は、歯ブラシで操作することにより練歯磨が供給されるため、便利であるという効果がある。また、該考案は簡易構造であるため軽量化、小型化が可能であり、市販化、又は量産化に適する効果がある。
【考案を実施するための最良の形態】
【００１３】
本考案の実施例を添付図面に従って説明する。
図１〜図３に示すように、練歯磨供給装置１ａは、プラスチック材料を押出成形して製造される縦長の装置筐体２を具備している。この装置筐体２は、練歯磨入りチューブＸ（以下、チューブＸという。）が収容されるものであり、背面を壁面に密着させて所要位置に固定される。
【００１４】
該装置筐体２の正面には、縦長の第一開閉扉７が配置されている。この第一開閉扉７は、一側が上下のヒンジ８，８により軸支され、他側に把手９が取り付けられて左右方向に開閉する。また、該第一開閉扉７の中央には、透明窓１０が配置されて当該装置筐体２内を外部から視認可能としている。また、該装置筐体２の下部には、上下に開閉する第二開閉扉４が配設されている。この第二開閉扉４は、左右の支軸１２，１２により装置筐体２に枢着され、中央に開閉把手５が付設されている。なお、この第二開閉扉４を開放すると、後述するような、歯ブラシＹが挿入可能な歯ブラシ挿入開口１５が露出することとなる。
【００１５】
図４〜図７に示すように、前記装置筐体２内には、左右方向に配された横長の一対の絞りローラー３０（絞り部材）が前後に所定間隔を置いて対置されている。これらの絞りローラー３０には、後で詳述するように、巻き掛け伝動装置２５が連繋され、さらに駆動モーター５０が連繋されて、昇降自在とされている。なお、図４，５は、上記第二開閉扉４を省略して示している。
【００１６】
前記絞りローラー３０について説明する。
前後に配された一対の絞りローラー３０，３０は、当該絞りローラー３０の端面に接続された絞りローラー連結部材３１，３１により相互連結されている。また、各絞りローラー連結部材３１の先端には、ガイド車輪３２が各々枢着されており、該ガイド車輪３２が、装置筐体２の左右の内壁２０に設けられた鉛直方向の案内レール２１にそれぞれ係合されている。そして、前記ガイド車輪３２が案内レール２１に沿って走行することにより、一対の絞りローラー３０，３０が互いに狭間隔を維持しながら昇降することとなる。なお、絞りローラー３０は、前後に遊転可能な構成とされている。
【００１７】
巻き掛け伝動装置２５について説明する。
前記巻き掛け伝動装置２５は、装置筐体２の左右の内壁２０に軸支された、一対の原動歯車２６，２６（原動車）と一対の従動歯車２７，２７（従動車）とを備えている。なお、両原動歯車２６，２６は、装置筐体２の上部に配され、両従動歯車２７，２７は、下部に配設されている。さらに、それぞれ同じ側にある原動歯車２６と従動歯車２７とが対となって、両歯車２６，２７と係合する環状のボールチェーン２８がそれぞれ掛け渡されている。さらに、各ボールチェーン２８は、上述の絞りローラー連結部材３１の端部とリング部材２９を介して連繋されている。
【００１８】
駆動モーター５０について説明する。
駆動モーター５０は、装置筐体２の内面に取り付けられたモーター台５１の上に固定されている。また、この駆動モーター５０の回転軸５０ａの先端にあるギア５２は、前記巻き掛け伝動装置２５の原動歯車２６，２６に接続された回転伝達軸５３に連繋している。なお、駆動モーター５０は、既製品が好適に採用される。
【００１９】
また、上記駆動モーター５０は、装置筐体２内の歯ブラシ挿入開口１５の突き当たり面に配設されている駆動スイッチ７３によりオン状態又はオフ状態とされる。
【００２０】
また、装置筐体２内であって、下部背面からチューブ保持台４０（チューブ保持手段）が前方へ差し出されており（図６参照）、該チューブ保持台４０の中央にチューブＸの歯磨出口Ｘ１が挿入される挿入孔４１が形成されている。また、このチューブ保持台４０の挿入孔４１周囲は、チューブＸの肩部が当接するテーパー部４２が形成され、このチューブ保持台４０の挿入孔４１に、チューブＸの歯磨出口Ｘ１が挿入され、かつ、他側のチューブＸの末端Ｘ２が前記一対の絞りローラー３０，３０間に介挿されることにより、装置筐体２内において絞りローラー３０、３０に挟持された状態でチューブＸが倒立姿勢で保持されることとなる。なお、前記チューブ保持台４０は、チューブＸの歯磨出口Ｘ１の外周面に配設されたキャップ取付用係合突起Ｘ３と係合する係合凹部４３（係合部）を備えている。かかる構成とすることにより、倒立姿勢で保持されるチューブＸが確実に固定され、チューブ保持台４０からの意図しない脱離が防止される。この係合凹部４３の配設位置は、適宜変更可能である。
【００２１】
さらに、装置筐体２内の下部には、歯ブラシＹが押し当てられる操作部６０が配設されている。具体的には、この操作部６０は、正面視楕円形で皿形の歯ブラシ押し当て部６１と、該歯ブラシ押し当て部６１を歯ブラシ挿入開口１５の正面に保持する腕部６２，６２とで構成されている。なお、前記腕部６２の上端６３は、装置筐体２の左右の内壁２０に軸支されている。さらに、この歯ブラシ押し当て部６１の直上には、ほぼ水平に配された開閉蓋６４が固定されている。
【００２２】
これまでに述べた操作部６０は、前記腕部６２の上端６３を中心にして振り子状に前後へ揺動し、使用者側に位置する通常位置αと、奥へ押し込まれた状態となる作動位置βとに位置変換される。そしてさらに、この操作部６０の位置変換に起因して、開閉蓋６４が、チューブ保持台４０の挿入孔４１の直下に位置する遮蔽位置と、装置筐体２の奥に位置する開放位置とに位置変換する。換言すれば、開閉蓋６４が遮蔽位置にあると、チューブ保持台４０に保持されているチューブＸの歯磨出口Ｘ１が遮蔽され、開放位置にあると、該歯磨出口Ｘ１が開放される。なお、該操作部６０は、前記上端６３にバネ（図示省略）が取り付けられて、常時通常位置αに付勢されている。そして、該操作部６０が係る付勢力に抗して後方へ押し込まれると、上端６３を中心に後方へ回動して、作動位置βに位置変換する。なお、前記作動位置βは、歯磨出口Ｘ１のほぼ直下となるように設定されている。
【００２３】
次に、本練歯磨供給装置１ａの使用手順を説明する。
前記の第一開閉扉７を開放して、開栓したチューブＸをチューブ保持台４０にセットする。このとき、上述のように、チューブＸの末端Ｘ２は、絞りローラー３０，３０間に介挿する。かかる状態とすると、本装置１ａは、使用可能状態となり、これ以降は、チューブＸ内の練歯磨を使い切るまで連続的に練歯磨が供給可能となる。
【００２４】
次に、前記第二開閉扉４を押し下げて歯ブラシ挿入開口１５を開放する。そして、正面に露出する、通常位置αにある操作部６０の歯ブラシ押し当て部６１に、歯ブラシＹの先端を押し当て、該操作部６０を後方へ押し込み、作動位置βとする。そうすると、前記開閉蓋６４が開放位置となると共に、該歯ブラシ押し当て部６１の背面が駆動スイッチ７３を押圧し、該駆動スイッチ７３がオン状態となると共に、当該歯ブラシＹの先端が、歯磨出口Ｘ１の直下に位置することとなる。
【００２５】
このように、駆動スイッチ７３がオン状態となると、駆動モーター５０が駆動開始して回転軸５０ａが回転開始し、これに連動して原動歯車２６が前方回転する。そうすると、一対の絞りローラー３０，３０が下降し、該絞りローラー３０，３０間に介挿されたチューブＸが両側から挟圧されて、前記歯磨出口Ｘ１から内容物としての練歯磨が下方に絞り出される。
【００２６】
練歯磨が絞り出されると、当該歯ブラシＹで当該練歯磨を受けとり、該歯ブラシＹを歯ブラシ挿入開口１５から引き抜く。そうすると、当該歯ブラシＹによる後方への押圧力が解除されて、前記操作部６０は、通常位置に復帰する。これにより前記開閉蓋６４は遮蔽位置となり、歯磨出口Ｘ１が遮蔽されることとなって練り歯磨きの余分な滴下が阻止される。また、駆動スイッチ７３はオフ状態となり、再度練歯磨が滴下可能であって歯ブラシＹを受け入れ得る状態となる。
【００２７】
上記練歯磨供給装置１ａは、ワンハンドで練歯磨を歯ブラシＹにつけることができ、両手を使う煩わしさが無い。
【００２８】
ところで、絞りローラー３０は、歯ブラシＹが繰り返し挿入されて練歯磨が絞り出されるたびに、順次その位置を低くなる。そして、該絞りローラー３０が所定の最下位置まで到達すると、チューブＸを使い切った状態となり、新しいチューブＸに交換することとなる。なお、上記構成に加えて、絞りローラー３０が最下位置に到達したことを検知して該絞りローラー３０を最上位置まで自動復帰させる自動復帰手段を設けても良い。
【００２９】
なお、上記巻き掛け伝動装置２５、駆動モーター５０、及び駆動スイッチ７３により、本考案に係る絞り部材昇降手段が構成される。なお、駆動モーター５０の駆動源は、電池式、充電式、ソーラー式など公知技術が適宜採用される。
【００３０】
また、他の絞り部材昇降手段が提案される。
図８に示すように、かかる構成の練歯磨供給装置１ｂは、上下に配された原動歯車２６（原動車）と従動歯車２７（従動車）とにボールチェーン２８（伝達部材）が巻き掛けられてなる巻き掛け伝動装置２５と、前記操作部６０の上端６３周りに固結されて、操作部６０の揺動と連動する第一歯車６５ａと、前記従動歯車２７に固結されて、該従動歯車２７と一体的に回動する第二歯車６５ｂとからなる。そして、操作部６０が通常位置αから作動位置βとなると、前記第一歯車６５ａが連動して回転し、該第一歯車６５ａと噛み合う第二歯車６５ｂが回動し、これに伴い従動歯車２７が回転してこれと連動する前記ボールチェーン２８に連結された前記一対の絞りローラー３０，３０が下降する。
【００３１】
また、次のような絞り部材昇降手段が提案される。
すなわち、前記一対の絞りローラー３０，３０の連結部材３１に固定され、前記装置筐体２の外部に配される把持部を備えたものである。該把持部は、装置筐体２に配された上下方向の案内機構に沿って上下し、使用者が把持部を把持して下降させると、前記一対の絞りローラー３０，３０も下降する手動の構成である。
【００３２】
ところで、これまでに述べた装置筐体２の寸法は、少なくとも３００ｍｍ×１２０ｍｍ×９０ｍｍ（高さ×幅×奥行）より小型とするのが好適である。また、上述の絞り部材は、絞りローラー３０に限定されず、板材、角材、円筒部材により構成するなど、適宜変更可能である。また、絞りローラー３０の下降量を調整することにより、一回に絞り出される練歯磨が適宜調整され得る。また、上記絞り部材昇降手段は、上記の構成に限定されず、ラックアンドピニオンの公知技術を採用しても勿論よい。また、上記チューブＸは、市販のラミネートチューブが好適である。
【図面の簡単な説明】
【００３３】
【図１】練歯磨供給装置１ａの正面図である。
【図２】練歯磨供給装置１ａの側面図である。
【図３】練歯磨供給装置１ａの底面図である。
【図４】練歯磨供給装置１ａの縦断正面図である。
【図５】練歯磨供給装置１ａの縦断側面図である。
【図６】チューブ保持台４０の拡大平面図である。
【図７】絞りローラー３０，３０の拡大平面図である。
【図８】変形例に係る練歯磨供給装置１ｂの部分縦断側面図である。
【符号の説明】
【００３４】
１ａ，１ｂ      練歯磨供給装置
２              装置筐体
１５            歯ブラシ挿入開口
２５            巻き掛け伝動装置
２６            原動歯車（原動車）
２７            従動歯車（従動車）
２８            ボールチェーン（伝達部材）
３０            絞りローラー（絞り部材）
４０            チューブ保持台（チューブ保持手段）
４３            係合凹部（係合部）
５０            駆動モーター
５０ａ          回転軸
６０            操作部
６４            開閉蓋
６５ａ，６５ｂ  歯車
７３            駆動スイッチ
Ｘ              練歯磨入りチューブ
Ｘ１            歯磨出口
Ｘ３            キャップ取付用係合突起
Ｙ              歯ブラシ
【図１】
0003139115.tif 000003
【図２】
0003139115.tif 000004
【図３】
0003139115.tif 000005
【図４】
0003139115.tif 000006
【図５】
0003139115.tif 000007
【図６】
0003139115.tif 000008
【図７】
0003139115.tif 000009
【図８】
0003139115.tif 000010